(57)【要約】【課題】ＴＶ番組の放送時に又は録画再生時において、ＣＭ情報が保持され且つ動的にＣＭを切り替えてＴＶ番組放送におけるＣＭ情報に対し持続性のある広告的付加価値をもたせること。【解決手段】ＴＶ放送局と、録画再生機能を有するＴＶ端末と、ＣＭ情報を配信するサーバと、広告主と、がネットワークを通して接続されたＣＭ配信システムであって、ＴＶ放送局でのＴＶ番組の番組情報にＣＭ情報を埋め込むとともに電子すかしを用いて前記ＣＭ情報を不可視像とし、ＣＭ情報はＣＭ画像自体を含まずサーバにアクセスするサーバアクセス情報であること。また、電子透かしのＣＭ情報を埋め込んだ番組情報をＴＶ端末で録画し再生するに際して、ＣＭ情報に基づいてサーバに格納された適宜のＣＭ画像を選定して再生表示すること。【選択図】        図５
2004235846.tif 000002
【特許請求の範囲】
【請求項１】
ＴＶ放送局と、録画再生機能を有するＴＶ端末と、ＣＭ情報を配信するサーバと、広告主と、がネットワークを通して接続されたＣＭ配信システムであって、
前記ＴＶ放送局でのＴＶ番組の番組情報にＣＭ情報を埋め込むとともに電子すかしを用いて前記ＣＭ情報を不可視像とし、
前記ＣＭ情報はＣＭ画像自体を含まず前記サーバにアクセスするサーバアクセス情報である
ことを特徴とするＣＭ配信システム。
【請求項２】
請求項１において、
前記電子透かしのＣＭ情報を埋め込んだ番組情報を前記ＴＶ端末で録画し再生するに際して、前記ＣＭ情報に基づいて前記サーバに格納された適宜のＣＭ画像を選定して再生表示することを特徴とするＣＭ配信システム。
【請求項３】
請求項２において、
前記サーバに格納されたＣＭ画像は、前記広告主が前記ネットワークを通して随時更新することを特徴とするＣＭ配信システム。
【請求項４】
請求項１において、
前記ＴＶ番組の娯楽向け又は子供向けを一例とするカテゴリーに基づいて前記アクセス情報を作成することを特徴とするＣＭ配信システム。
【請求項５】
請求項２又は３において、
前記録画したＴＶ番組の再生時における前記ＣＭ画像の選定は、再生時の時間帯及び／又は番組カテゴリーに基づいて行われることを特徴とするＣＭ配信システム。
【発明の詳細な説明】
【０００１】
【発明の属する技術分野】
本発明は、電子透かしを利用した動的な広告情報の配信技術、並びに広告情報に対する付加価値の提供技術に関する。
【０００２】
【従来の技術】
従来技術においては、録画したＴＶ番組を再生する場合、放送時のＣＭを再び見ることになり、見るタイミングによってはＣＭ情報が古くなるため、広告価値が無くなるものが殆どであった。
【０００３】
また、ＴＶ放送を録画する場合、ＣＭ情報部分を削除する等の技術や手法があって、録画情報内にＣＭを残さないと云うことが多い。
【０００４】
【発明が解決しようとする課題】
しかしながら、ＣＭ情報を含めて録画した場合、その再生時に時間の経過に伴って広告価値の無くなったＣＭを再び視聴することとなるのは、視聴者にとって関心外のことであり、迷惑なことであった。
【０００５】
そこで、本発明の目的は、ＴＶ番組の放送時に又は録画再生時において、ＣＭ情報を残すとともに、ＣＭ情報に動的で継続した広告価値を保持させる技術を提供することにある。
【０００６】
【課題を解決するための手段】
前記課題を解決するために、本発明は主として次のような構成を採用する。
ＴＶ放送局と、録画再生機能を有するＴＶ端末と、ＣＭ情報を配信するサーバと、広告主と、がネットワークを通して接続されたＣＭ配信システムであって、
前記ＴＶ放送局でのＴＶ番組の番組情報にＣＭ情報を埋め込むとともに電子すかしを用いて前記ＣＭ情報を不可視像とし、
前記ＣＭ情報はＣＭ画像自体を含まず前記サーバにアクセスするサーバアクセス情報である構成とする。
【０００７】
また、前記ＣＭ配信システムにおいて、前記電子透かしのＣＭ情報を埋め込んだ番組情報を前記ＴＶ端末で録画し再生するに際して、前記ＣＭ情報に基づいて前記サーバに格納された適宜のＣＭ画像を選定して再生表示する構成とする。
【０００８】
このような構成を採用することによって、本発明は、ＴＶ番組の放送時に又は録画再生時において、ＣＭ情報が保持され、かつ動的にＣＭを切り替えることができるため、ＴＶ番組放送におけるＣＭ情報に対し持続性のある広告的付加価値をもたせることができる。
【０００９】
【発明の実施の形態】
本発明の実施形態に係るＣＭ配信システムについて、図面を参照しながら以下説明する。図１は本発明の実施形態に係るネットワークを利用したＣＭ配信システムの全体構成を示す図であり、図２は本実施形態に係るネットワークに接続した各構成要素内の処理部とデータベース（ＤＢ）を示す図である。
【００１０】
図１と図２を参照して説明すると、ネットワーク１に接続されているネットワーク構成要素として、広告主２、ＴＶ放送局３、ＣＭ配信サーバ４、ＴＶ端末５が存在する。そして、広告主２には、ＴＶ放送局３と番組に対するスポンサー契約を結ぶためのスポンサー契約送信部６、ＣＭ配信サーバに対しＣＭを追加または配信スケジュールの設定をするＣＭ追加／配信スケジュール設定部７が存在する。
【００１１】
ＴＶ放送局３には、広告主２からの番組スポンサー契約を結ぶためのスポンサー契約受信部８、その契約情報を格納するスポンサーＤＢ１４、ＴＶ番組を作成するＴＶ番組作成部９、作成した番組のカテゴリー情報（例えば、娯楽番組、ニュース番組、子供向け番組、女性向け番組等）を格納する番組カテゴリーＤＢ１５、ＣＭ配信サーバへアクセスするために情報を電子透かし情報として作成するＣＭ配信サーバアクセス情報（電子透かし）作成部１０、ＴＶ番組と電子透かし情報を合成するＴＶ番組＋電子透かし合成部１１、ＴＶ番組を放送するＴＶ番組放送部１２、ＣＭ配信サーバから送信される録画統計情報を受信する録画統計情報受信部１３、その統計情報（例えば、番組毎の録画率情報等）を格納する録画統計ＤＢ１６、が存在する。
【００１２】
ここで、番組情報に電子透かし情報を付け加える手法は公知技術であるが、この手法は、従来の、番組情報１→ＣＭ１→番組情報２→ＣＭ２のように時系列に配列されたものに代えて、番組情報１→番組情報２のように連続して番組情報が配列しており、且つＣＭ１は番組情報１に不可視像として、ＣＭ２は番組情報２に不可視像として番組情報に埋め込まれた透かし構成されているものである。この際、不可視像のＣＭ１又はＣＭ２は、ＣＭの画像情報それ自体（従来技術）ではなくて、ＣＭの画像情報を格納したＤＢへのアクセス情報（参照情報）であることが本発明の特徴の１つである。また、本実施形態では、ＴＶ番組の録画情報の再生時に、ＣＭの表示形態として、ＣＭを番組情報と順次に表示替えする形態に加えて、ＣＭと番組情報を表示箇所を異ならせて同時表示する形態やその他の静止画ＣＭの表示形態等も想定している。
【００１３】
ＣＭ配信サーバ４には、ＴＶ端末５から送信されてくるＣＭ配信要求情報を受信しＣＭ配信情報を作成するＣＭ配信要求情報受信部１７、そのＣＭ配信情報の作成時に利用するＣＭ配信制御ＤＢ２０、ＣＭ格納ＤＢ２１、ＴＶ端末５に対しＣＭを配信するＣＭ配信部１８、録画統計情報送信部１９、が存在する。
【００１４】
ＴＶ端末５には、ＴＶ放送局から放送されるＴＶ番組を受信するＴＶ放送受信部２２、受信したＴＶ番組を録画する録画部２３、録画したＴＶ番組を再生する再生部２４、が存在し、また、再生部２４には、ＣＭ配信サーバ４に対しＣＭ配信要求情報の作成および送信をおこなうＣＭ配信要求情報送信部２５、番組情報からＣＭ配信サーバ４へアクセスするための電子透かし情報を分離する電子透かし分離部２６、ＣＭ配信サーバ４から配信されてくるＣＭを受信するＣＭ受信部２７、受信したＣＭを再び番組情報と合成する番組＋ＣＭ合成部２８、が存在する。また、ＴＶ端末５には表示装置と記録媒体が接続される。また、ＣＭ配信サーバ４は、ＴＶ放送局３とは別個のものとして説明したが、ＴＶ放送局３に付属するものとしても良い。
【００１５】
次に、ネットワーク１に接続した各構成要素、即ち、広告主２、ＴＶ放送局３、ＣＭ配信サーバ４、ＴＶ端末５の動作態様について図３〜図７を参照しながら説明する。図３は本実施形態に係るＴＶ放送局に設けたスポンサーＤＢに格納されたスポンサー契約情報を示す図であり、図４は本実施形態に係る広告主によるＣＭ配信サーバ内のＣＭ配信制御ＤＢに対する制御情報の設定態様とＣＭ格納ＤＢに対するＣＭ追加の処理態様を示す図であり、図５は本実施形態に係るＴＶ放送局により作成されるＣＭ配信サーバアクセス情報の概念を示す図である。また、図６は本実施形態に係るＴＶ端末からＣＭ配信サーバへのＣＭ配信要求、ＣＭ配信サーバによるＣＭ配信情報作成及びＣＭ配信、ＣＭ配信サーバからＴＶ放送局への録画統計情報の通知、についての処理及びデータの流れを示す図であり、図７は本実施形態に係るＣＭ配信サーバにおけるＣＭ配信要求情報からＣＭ配信情報作成及びＣＭ配信までのフローを示す図である。
【００１６】
まず、広告主２がＴＶ放送局３所有の番組に対しスポンサー契約を結ぶことにより、図３で示すとおりスポンサーＤＢ１４の当該番組エントリに広告主コードおよび番組で放送できるＣＭ数の情報が格納される。次に、図４で示すとおり、広告主２は放送してもらいたいＣＭをＣＭ配信サーバ４が管理するＣＭ格納ＤＢ２１へ追加し、ＣＭ配信制御ＤＢ２０へ当該ＣＭが配信されるべき番組のカテゴリー情報および配信する時間帯を設定する。なお、当該番組のカテゴリー情報はＴＶ放送局３所有の番組カテゴリーＤＢ１５を参照し決定する。また、図４では広告主毎にＣＭとカテゴリーと時間帯（放送時又は録画情報の再生時）を指定しているので、例えば、ＴＶ端末において、録画したＴＶ番組の再生に際してその再生の時間帯に適したＣＭを選定して再生することができる（記録媒体を備えたＴＶ端末は現時刻を認識する機能を当然に有している）。同様に、番組のカテゴリーが例えば子供向けであれば、それに適したＣＭを選定して再生することができる。この選定条件として、時間帯とカテゴリーの組み合わせは適宜に調整すればよい。
【００１７】
ＴＶ放送局３は図５で示すとおり、当該番組情報（番組の内容）、番組カテゴリーＤＢ１５から取得した当該番組のカテゴリー情報（例えば、娯楽情報、子供向け情報等）およびスポンサーＤＢ１４から取得した該当広告主のＣＭ数、ＣＭ情報配信サーバ４へアクセスするためのＵＲＬ情報（どのサーバのどのアドレスか等の宛先情報）、番組内におけるＣＭの表示位置（ＣＭを番組情報と同時表示する場合のＣＭの表示位置）および表示タイミングを元にＣＭ配信サーバアクセス情報を電子透かし情報として作成し、当該ＴＶ番組情報に合成し放送する。
【００１８】
ＴＶ放送局３が放送した当該ＴＶ番組を受信したＴＶ端末５において録画を実施する場合、ＴＶ番組情報とともに電子透かし情報として合成されているＣＭ配信サーバアクセス情報が、テープ／ハードディスク等の記録媒体へ記録される。
【００１９】
次に、ＴＶ端末５を使用し録画したＴＶ番組情報を再生する場合、図６で示すとおりＴＶ端末５は記録媒体内の番組情報から電子透かし情報を分離しＣＭ配信サーバアクセス情報を取得し、番組コード、カテゴリー情報、広告主コードおよびＣＭ数の情報を取り出しＣＭ配信要求情報を作成する（図６では、ＵＲＬによってＣＭ配信サーバを特定した後に、この特定したＣＭ配信サーバに渡す情報が番組コード以下のＣＭ配信要求情報である）。続いて、ＴＶ端末５はＵＲＬ情報をもとに、ＣＭ配信要求情報をＣＭ配信サーバ４へ送信する。ＴＶ端末５から送信されたＣＭ配信要求情報を受信したＣＭ配信サーバ４はＣＭ配信要求情報から番組コード、カテゴリー情報、広告主コード、ＣＭ数を取得し、カテゴリー情報、およびＴＶ端末５のＣＭ配信要求のアクセス時刻をもとにＣＭ配信制御ＤＢ２０を検索し該当するＣＭをＣＭ格納ＤＢ２１（図２参照）から取り出し、ＣＭ配信情報を作成しＴＶ端末５へ配信する。また、ＣＭ配信サーバ４はＣＭ配信要求情報から取得した番組コードを録画統計情報としてＴＶ放送局３へ送信することにより、ＴＶ放送局３の録画統計ＤＢ１６へ放送番組の録画統計が蓄積される。
【００２０】
また、ＣＭ配信サーバ４がＴＶ端末５からのＣＭ配信要求情報によってＣＭ配信情報を作成する手順を図７を用いて説明する。まず、図６に示すＴＶ端末５から送られてきたＣＭ配信要求情報からカテゴリー（例えば、子供向けカテゴリー等）を読み込み（ステップ１）、ＣＭ配信要求情報内に広告主コードがあるか否を判断（ステップ２）する。広告主コードがなければＣＭ配信情報をＴＶ端末に配信する（ステップ９）が、広告主コードがあれば広告主コードを読み込んで（ステップ３）、図４に示すように広告主コードをもとにＣＭ配信制御ＤＢ２０を検索しＣＭ配列を取得する（ステップ４）。
【００２１】
続いて、ＣＭ配列にＣＭエントリがあるか否かを判断し（ステップ５）、ＣＭエントリがなければステップ２の入口側に戻るが、ＣＭエントリがあればＣＭ配列からＣＭエントリを取得する（ステップ６）。このＣＭエントリのカテゴリーが当該カテゴリー（ＴＶ端末からのＣＭ配信要求情報内のカテゴリー）と一致するか否かを判断し（ステップ７）、一致すればＣＭをＣＭ配信情報へ格納して（ステップ８）、ステップ５の入口側に戻る。
【００２２】
このように、ＴＶ端末５はＣＭ配信サーバ４から配信されたＣＭ情報を受信し、番組情報にＣＭ情報を合成し再生する。
【００２３】
以上説明したように、本発明の特徴は、ＴＶ放送局３において、ＴＶ番組の放送情報にＣＭ情報そのものを格納せず、ＣＭ情報配信サーバ４へアクセスするための情報を埋め込み放送し、また、ＣＭ情報配信サーバ４へのアクセス情報の埋め込みには電子透かしの技術を利用してＴＶ番組情報に合成することにより、放送されたＴＶ番組を受信したＴＶ端末５で録画してもＴＶ番組情報からＣＭ管理サーバ４へアクセスするための情報が欠落することなく、ＴＶ端末５での録画情報再生時に初期放送時と異なるＣＭを表示させる付加価値を提供することにより、ＣＭの広告主２に対し番組放送時の広告価値に加え、録画したＴＶ番組の再生といった放送終了後において初期放送時に見たＣＭよりも新しい情報または別製品の情報等、異なるＣＭを表示させるといった付加価値を提供するものである。
【００２４】
【発明の効果】
本発明によれば、ＴＶ番組の放送時に又は録画再生時において、ＣＭ情報が保持され、かつ動的にＣＭを切り替えることができるため、ＴＶ番組放送におけるＣＭ情報に対し持続性のある広告的付加価値をもたせることができる。
【００２５】
また、広告主に対して、より多種多様かつ常に新しい内容のＣＭを配信するチャンスを提供し、また、ＣＭを視聴する側に対しても、常に新しい情報を提供することができる。
【図面の簡単な説明】
【図１】本発明の実施形態に係るネットワークを利用したＣＭ配信システムの全体構成を示す図である。
【図２】本実施形態に係るネットワークに接続した各構成要素内の処理部とデータベース（ＤＢ）を示す図である。
【図３】本実施形態に係るＴＶ放送局に設けたスポンサーＤＢに格納されたスポンサー契約情報を示す図である。
【図４】本実施形態に係る広告主によるＣＭ配信サーバ内のＣＭ配信制御ＤＢに対する制御情報の設定態様とＣＭ格納ＤＢに対するＣＭ追加の処理態様を示す図である。
【図５】本実施形態に係るＴＶ放送局により作成されるＣＭ配信サーバアクセス情報の概念を示す図である。
【図６】本実施形態に係るＴＶ端末からＣＭ配信サーバへのＣＭ配信要求、ＣＭ配信サーバによるＣＭ配信情報作成及びＣＭ配信、ＣＭ配信サーバからＴＶ放送局への録画統計情報の通知、についての処理及びデータの流れを示す図である。
【図７】本実施形態に係るＣＭ配信サーバにおけるＣＭ配信要求情報からＣＭ配信情報作成及びＣＭ配信までのフローを示す図である。
【符号の説明】
１  ネットワーク
２  広告主
３  ＴＶ放送局
４  ＣＭ配信サーバ
５  ＴＶ端末
６  スポンサー契約送信部
７  ＣＭ追加／配信スケジュール設定部
８  スポンサー契約受信部
９  ＴＶ番組作成部
１０  ＣＭ配信サーバアクセス情報（電子透かし）作成部
１１  ＴＶ番組＋電子透かし合成部
１２  ＴＶ番組放送部
１３  録画統計情報受信部
１４  スポンサーＤＢ
１５  番組カテゴリーＤＢ
１６  録画統計ＤＢ
１７  ＣＭ配信要求情報受信部
１８  ＣＭ配信部
１９  録画統計情報送信部
２０  ＣＭ配信制御ＤＢ
２１  ＣＭ格納ＤＢ
２２  ＴＶ放送受信部
２３  録画部
２４  再生部
２５  ＣＭ配信要求情報送信部
２６  電子透かし分離部
２７  ＣＭ受信部
２８  番組＋ＣＭ合成部
【図１】
2004235846.tif 000003
【図２】
2004235846.tif 000004
【図３】
2004235846.tif 000005
【図４】
2004235846.tif 000006
【図５】
2004235846.tif 000007
【図６】
2004235846.tif 000008
【図７】
2004235846.tif 000009